(57)【要約】      （修正有）【課題】ゴミの投入が容易になる、ゴミ袋を引っ掛けるためのブラケット及び水切り棚を提供する。【解決手段】ゴミ袋を掛け止めるための第１掛止部１１１が少なくとも一つ設けられている第１ホルダ１１と、ゴミ袋を掛け止めるための第２掛止部１２１が少なくとも一つ設けられている第２ホルダ１２と、第１ホルダに設けられ、ブラケットを吊り下げるための第１吊下げ部１３とを備え、第１ホルダと第２ホルダが回転可能に連結されているゴミ袋用ブラケットであって、使用に際して、ゴミ袋の一方側を第１掛止部に掛け、ゴミ袋の他方側を第２掛止部に掛けてから、第１吊下げ部により第１ホルダを吊り下げるようにする。重力の作用では、第２ホルダは第１ホルダから離れるように回転しようとすることで、ゴミ袋の両側は離間するよう引っ張られ、ゴミ袋の口は開いたままとなり、ゴミの投入が容易になる。【選択図】図１
0003226052.tif 000002
【実用新案登録請求の範囲】
【請求項１】
ゴミ袋を引っ掛けるためのブラケットであって、
ゴミ袋を掛け止めるための第１掛止部が少なくとも一つ設けられている第１ホルダと、
ゴミ袋を掛け止めるための第２掛止部が少なくとも一つ設けられている第２ホルダと、
第１ホルダに設けられ、ブラケットを吊り下げるための第１吊下げ部とを備え、
前記の第１ホルダと第２ホルダは回転可能に連結されていることを特徴とするブラケット。
【請求項２】
前記第１ホルダは金属材を折り曲げて成形したものであり、前記第１掛止部は折曲げによる第１凸体とされることを特徴とする、請求項１に記載のブラケット。
【請求項３】
前記第２ホルダは金属材を折り曲げて成形したものであり、前記第２掛止部は折曲げによる第２凸体とされることを特徴とする、請求項１に記載のブラケット。
【請求項４】
前記第１掛止部は第２掛止部と同一の数であり、第２掛止部と一対一に対応しており、前記の第１ホルダと第２ホルダが重なり合っていると、前記第１掛止部は第２掛止部の下にあるようになることを特徴とする、請求項２又は請求項３に記載のブラケット。
【請求項５】
フレーム及び請求項１から請求項４のいずれか一つに記載のブラケットを備え、前記ブラケットは第１吊下げ部によりフレームに掛けられることを特徴とする水切り棚。
【請求項６】
フレームに掛けられる少なくとも一つの収納具をさらに備えることを特徴とする、請求項５に記載の水切り棚。
【請求項７】
前記収納具は、包丁を置くための少なくとも一つの包丁スタンドを含み、前記包丁スタンドには第２吊下げ部及び包丁を置くための少なくとも一つの第１貫通孔が設けられており、前記包丁スタンドは第２吊下げ部によりフレームに掛けられることを特徴とする、請求項６に記載の水切り棚。
【請求項８】
前記収納具は、カップを置くための少なくとも一つのカップスタンドをさらに含み、前記カップスタンドには第３吊下げ部及びカップを掛け止めるための少なくとも一つのアームが設けられており、前記カップスタンドは第３吊下げ部によりフレームに掛けられることを特徴とする、請求項６に記載の水切り棚。
【請求項９】
前記収納具は、食器を置くための少なくとも一つの食器ラック及び鍋蓋を置くための少なくとも一つの保持枠をさらに含み、前記食器ラックには第４吊下げ部及び食器を置くための少なくとも一つの収容ボックスが設けられ、前記食器ラックの底部には幾つかの通気孔がさらに開口されており、前記食器ラックは第４吊下げ部によりフレームに掛けられ、また、前記保持枠には第５吊下げ部が設けられており、前記保持枠は第５吊下げ部によりフレームに掛けられることを特徴とする、請求項６に記載の水切り棚。
【請求項１０】
前記収納具は、洗浄用品を置くための少なくとも一つの洗浄用品ラック、飯茶碗やディッシュを置くための少なくとも一つの飯茶碗・ディッシュスタンド、及び、青果を置くための少なくとも一つの青果かごをさらに含み、前記洗浄用品ラックには第６吊下げ部が設けられており、前記洗浄用品ラックは第６吊下げ部によりフレームに掛けられ、また、前記飯茶碗・ディッシュスタンドには第７吊下げ部が設けられており、前記飯茶碗・ディッシュスタンドは第７吊下げ部によりフレームに掛けられ、さらに、前記青果かごには第８吊下げ部が設けられており、前記青果かごは第８吊下げ部によりフレームに掛けられることを特徴とする、請求項６に記載の水切り棚。
【考案の詳細な説明】
【技術分野】
【０００１】
本考案は、台所用具の技術分野に関し、具体的には、ゴミ袋用ブラケット及び水切り棚に関する。
【背景技術】
【０００２】
ゴミ袋は一般にプラスチック製のもので、日常生活に不可欠な生活用具である。使用に際して、いつもゴミ袋をゴミ入れに被せることで、随時ゴミを容易に収集して捨てることが可能になる。
【０００３】
日常の野菜洗いや料理を作る場合、生ゴミをゴミ入れに投入する必要がある。従来のゴミ入れは床に置かれるのが一般的であり、ゴミの投入を行うためには、腰をかがめるか後ろへ向き直らなければならず、それらを繰り返すと、体の負担増加に繋がっていた。一方、ゴミ袋をそのまま壁に掛けると、その開口が十分に開放できず、容易にゴミを投入することが不可能であった。
【考案の概要】
【考案が解決しようとする課題】
【０００４】
本考案は、従来技術の上記問題点に鑑みて、ゴミ袋を引っ掛けるためのブラケット及び水切り棚を提供し、ゴミ袋を吊り下げる時にその口が十分に開放できず、容易にゴミを投入できないという課題を解決することを主旨としている。
【課題を解決するための手段】
【０００５】
ゴミ袋を引っ掛けるためのブラケットであって、ゴミ袋を掛け止めるための第１掛止部が少なくとも一つ設けられている第１ホルダと、ゴミ袋を掛け止めるための第２掛止部が少なくとも一つ設けられている第２ホルダと、第１ホルダに設けられ、ブラケットを吊り下げるための第１吊下げ部とを備え、前記第１ホルダと第２ホルダは回転可能に連結されているブラケットを提供する。
【０００６】
フレーム及び上記ブラケットを備え、前記ブラケットは第１吊下げ部により前記フレームに掛けられる水切り棚をさらに提供する。
【考案の効果】
【０００７】
使用に際して、ゴミ袋の一方側を第１掛止部に掛け、ゴミ袋の他方側を第２掛止部に掛けてから、第１吊下げ部により第１ホルダを吊り下げるようにする。重力の作用により、第２ホルダが第１ホルダから離れるように回転しようとすることで、ゴミ袋の両側が離間するよう引っ張られ、ゴミ袋の口が開いたままとなり、ゴミの投入が容易になる。
【０００８】
以下、図面及び実施例に合わせて、本考案についてさらに説明する。
【図面の簡単な説明】
【０００９】
【図１】本考案によるブラケットの構造模式図である。
【図２】本考案による水切り棚の構造模式図である。
【図３】本考案による包丁スタンドの構造模式図である。
【図４】本考案によるカップスタンドの構造模式図である。
【図５】本考案による食器ラックの構造模式図である。
【図６】本考案による保持枠の構造模式図である。
【図７】本考案による洗浄用品ラックの構造模式図である。
【図８】本考案による飯茶碗・ディッシュスタンドの構造模式図である。
【図９】本考案による青果かごの構造模式図である。
【考案を実施するための形態】
【００１０】
以下、図面に合わせて、本考案の好ましい実施例について詳細に説明する。
【００１１】
図１に示されるように、本考案によるゴミ袋を引っ掛けるためのブラケット１は第１ホルダ１１と第２ホルダ１２と第１吊下げ部１３とを備えるものであり、第１ホルダ１１にはゴミ袋を掛け止めるための第１掛止部１１１が少なくとも一つ設けられている。第２ホルダ１２にはゴミ袋を掛け止めるための第２掛止部１２１が少なくとも一つ設けられている。第１吊下げ部１３は第１ホルダ１１に設けられ、ブラケット１を吊り下げるためのものである。そのうち、第１ホルダ１１と第２ホルダ１２は回転可能に連結されている。使用に際して、ゴミ袋の一方側を第１掛止部１１１に掛け、ゴミ袋の他方側を第２掛止部１２１に掛けてから、第１吊下げ部１３により第１ホルダ１１を吊り下げるようにする。重力の作用では、第２ホルダ１２が第１ホルダ１１から離れるように回転しようとすることで、ゴミ袋の両側は離間するよう引っ張られ、ゴミ袋の口は開いたままとなり、ゴミの投入が容易になる。
【００１２】
本実施例では、第１ホルダ１１は金属材を折り曲げて成形したものであり、第１掛止部１１１は折曲げによる第１凸体とされる。具体的には、第１凸体は矩形形状である。第２ホルダ１２は金属材を折り曲げて成形したものであり、第２掛止部１２１は折曲げによる第２凸体とされる。第２凸体は矩形で、第１凸体と同一の形状である。当然ながら、第１凸体と第２凸体は他の形状としてもよい。第１ホルダ１１は鋳造によるものとされてもよく、又は、プレス成形によるものとされてもよいのは言うまでもない。
【００１３】
容易にゴミ袋を掛け止めるようにするため、第１掛止部１１１は第２掛止部１２１と同一の数あり、第２掛止部１２１と一対一で対応している。本実施例では、第１掛止部１１１と第２掛止部１２１はそれぞれ四つ設けられている。ブラケット１の占有面積を低減するために、第１ホルダ１１と第２ホルダ１２が重なり合わせた時、第１掛止部１１１が第２掛止部１２１の下にくる/配置されるようになる。
【００１４】
本実施例では、第１ホルダ１１と第２ホルダ１２はネジにより回転可能に連結されている。ネジによって、第１ホルダ１１と第２ホルダ１２の間の緩さをいつでも調節でき、利用者の異なる需要に対応可能になる。当然ながら、第１ホルダ１１と第２ホルダ１２は直接シャフトで連結されるようにしてもよい。具体的には、第１ホルダ１１は開口を有さないエンドレスのもので、第２ホルダ１２は開口を有するものである。
【００１５】
本考案は、図２に示されるように、フレーム２及び上記のようなブラケット１を備え、ブラケット１が第１吊下げ部１３によりフレーム２に掛けられる水切り棚をさらに提供している。使用に際して、フレーム２を野菜洗い水槽の上方に置き、ブラケット１をフレーム２に掛けることで、野菜を洗う時のゴミの投入が容易になる。省スペースや水切り棚の使用性向上のために、水切り棚は、フレーム２に掛けられる少なくとも一つの収納具をさらに備える。
【００１６】
図２と図３に示されるように、収納具は包丁を置くための少なくとも一つの包丁スタンド３を含み、包丁スタンド３には第２吊下げ部３１及び包丁を置くための少なくとも一つの第１貫通孔３２が設けられており、包丁スタンド３は第２吊下げ部３１によりフレーム２に掛けられる。使用に際して、包丁の刃部を第１貫通孔３２内へ置くことで、第１貫通孔３２により包丁のハンドルを係止し、包丁が落下することが回避される。本実施例では、包丁スタンド３には幾つかの通気孔３３が開口しており、包丁スタンドの余分な水が迅速に蒸発可能であるとともに、包丁スタンド３の重量を軽減することも可能になる。
【００１７】
具体的には、包丁スタンド３には第２貫通孔３４、第３貫通孔３５及び第４貫通孔３６がさらに開口している。使用に際して、棒状砥石を第２貫通孔３４へ、はさみを第３貫通孔３５へ、果物ナイフを第４貫通孔３６へ置くことができる。
【００１８】
図２と図４に示されるように、収納具はカップを置くための少なくとも一つのカップスタンド４をさらに含み、カップスタンド４には第３吊下げ部４１及びカップを掛け止めるための少なくとも一つのアーム４２が設けられており、カップスタンド４は第３吊下げ部４１によりフレーム２に掛けられる。本実施例では、アーム４２は、それぞれカップスタンド４の両端に設けられている第１アーム４２１と第２アーム４２２とを含む。使用に際して、アーム４２がカップの口から挿入され、カップの内壁がアーム４２と当接して、カップが固定されるようになる。他の実施例では、第１アーム４２１は鉛直に設けて、カップを掛け止めるようにされてもよい。
【００１９】
図２と図５に示されるように、収納具は、食器を置くための少なくとも一つの食器ラック５及び鍋蓋を置くための少なくとも一つの保持枠６をさらに含む。食器ラック５には第４吊下げ部５１及び食器を置くための少なくとも一つの収容ボックス５２が設けられ、食器ラック５の底部には幾つかの通気孔５３がさらに開口しており、食器ラック５は第４吊下げ部５１によりフレーム２に掛けられる。本実施例では、第４吊下げ部５１はフックとされ、食器ラック５には、第１収容ボックス５２１、第２収容ボックス５２２及び第３収容ボックス５２３の合計三つの収容ボックス５２が設けられている。そのうち、第２収容ボックス５２２には一つの切欠き５２４が設けられている。使用に際して、ナイフとフォークや箸等の食器を第１収容ボックス５２１又は第３収容ボックス５２３に置いて、ひしゃくの本体を第２収容ボックス５２２に置きながらそのハンドルを切欠き５２４に係止させることで、ひしゃくの取り扱いが容易になり、その落下も回避される。
【００２０】
図２と図６に示されるように、保持枠６には第５吊下げ部６１が設けられており、保持枠６は第５吊下げ部６１によりフレーム２に掛けられる。本実施例では、第５吊下げ部６１と保持枠６は一体的に成形されたものである。
【００２１】
図２と図７に示されるように、収納具は、洗浄用品を置くための少なくとも一つの洗浄用品ラック７、飯茶碗やディッシュを置くための少なくとも一つの飯茶碗・ディッシュスタンド８、及び、青果を置くための少なくとも一つの青果かご９をさらに含み、洗浄用品ラック７には第６吊下げ部７１が設けられており、洗浄用品ラック７は第６吊下げ部７１によりフレーム２に掛けられる。
【００２２】
図２と図８に示されるように、飯茶碗・ディッシュスタンド８には第７吊下げ部８１が設けられており、飯茶碗・ディッシュスタンド８は第７吊下げ部８１によりフレーム２に掛けられる。飯茶碗・ディッシュスタンド８には、飯茶碗を置くための第１格子８２、さらには、ディッシュを置くための第２格子８３が設けられている。飯茶碗・ディッシュスタンド８の重量を軽減するとともに、通気も確保されて、飯茶碗やディッシュにかびが生えることが回避される。
【００２３】
具体的には、水切り棚は吸水板８４とハンガー８５とをさらに備え、ハンガー８５は飯茶碗・ディッシュスタンド８に掛けられ、吸水板８４はハンガー８５に置かれている。使用に際して、吸水板８４は飯茶碗・ディッシュスタンド８の下に位置しているため、線上による飯茶碗やディッシュからの残留水を吸い取ることができるとともに、それを迅速に蒸発させて、溜まることがない。
【００２４】
図２と図９に示されるように、青果かご９には第８吊下げ部９１が設けられており、青果かご９は第８吊下げ部９１によりフレーム２に掛けられる。本実施例では、青果かご９にはさらに支持棒９２が取外し可能に設けられている。使用に際して、支持棒９２に食品保管用ビニール袋のロールを外嵌させるように保持させることで、食品保管用ビニール袋の取り扱いが容易になる。
【００２５】
以上の実施例は単に本考案の解決手段を説明するためのものだけで、なんら制限するものではないと理解されるはずであり、当業者にとっては、上記実施例に記載した解決手段について変更、あるいは、その一部の技術的特徴について等価取替を行うことは可能であるが、これらの変更や取替はすべて本実用新案登録請求の範囲に属する。
【図１】
0003226052.tif 000003
【図２】
0003226052.tif 000004
【図３】
0003226052.tif 000005
【図４】
0003226052.tif 000006
【図５】
0003226052.tif 000007
【図６】
0003226052.tif 000008
【図７】
0003226052.tif 000009
【図８】
0003226052.tif 000010
【図９】
0003226052.tif 000011